(57)【要約】【課題】  被冠時での下方側、特に顔面側へのズレ落ち、周縁方向でのズレ動き等を未然に防止でき、また頭部サイズに依らずにフリーサイズで使用できるようにもする。【解決手段】  毛髪部分を覆って頭部に被冠し、額部分、耳部分、襟足部分に沿った開口縁を有するキャップ本体１と、このキャップ本体１の開口縁に付設した帯状の弾性部材３とを備える。額部分における開口縁よりも上側に位置する前頭部、耳部分より上側に位置するこめかみ部分、襟足部分よりも上側に位置する後頭部分に掛けての毛髪部分を線状に締め付け可能とする移動防止手段２を設ける。前頭部における移動防止手段２は、弾性部材３の一側縁をキャップ本体１の開口縁に重ね合わせて縫合し、その縫合縁部４をキャップ本体１の裏面側に表してある当該弾性部材３の縫合縁部４に沿って設ける。【選択図】      図１
0003106318.tif 000002
【実用新案登録請求の範囲】
【請求項１】
毛髪部分を覆って頭部に被冠され、額部分、耳部分、襟足部分に沿った開口縁を有するキャップ本体と、このキャップ本体の開口縁に付設された帯状の弾性部材とを備えた衛生キャップにおいて、額部分における開口縁よりも上側に位置する前頭部、耳部分より上側に位置するこめかみ部分、襟足部分よりも上側に位置する後頭部分に掛けての毛髪部分を締め付け可能とする移動防止手段を設けたことを特徴とする衛生キャップ。
【請求項２】
移動防止手段は、ゴム紐材によって線状に形成されている請求項１記載の衛生キャップ。
【請求項３】
前頭部における移動防止手段は、弾性部材の一側縁をキャップ本体の開口縁に重ね合わせて縫合し、その縫合縁部をキャップ本体の裏面側に表してある当該弾性部材の縫合縁部に沿って設けられている請求項１または２記載の衛生キャップ。
【請求項４】
キャップ本体は、多数の通気孔が開穿された不織布、メッシュ生地、電石化されている成形生地のいずれかによって形成されている請求項１乃至３のいずれか記載の衛生キャップ。
【考案の詳細な説明】
【技術分野】
【０００１】
本考案は所謂防塵用帽子と称されるもので、主として食品関係、医療薬品関係、電子部品等の製造関係等の各種業種の作業者に広く利用され、作業者の発する毛髪やフケ等の脱落を効果的に防止するための衛生キャップに関するものである。
【背景技術】
【０００２】
従来、この種の衛生キャップとしては、例えば本出願人自身が先に出願し、登録された特許文献１に開示されているように、毛髪部分を覆って頭部に被冠され、額部分、耳部分、襟足部分に沿った開口縁を有するキャップ本体の当該開口縁に付設された帯状の弾性部材を備えたものがある。こうすることで被冠時での弾性部材の絞り圧迫による痛みの額部分への発生、脱冠後の弾性部材による当て跡の額部分への残留等の長時間の使用に伴なう諸々の欠点を解消し、頭部から発する毛髪、フケ等を周囲に落下させることなく確実に保持させ、また、表裏の判別が容易で裏返したままで被冠することもなくなるものとしている。
【特許文献１】登録実用新案第３０２３２１４号公報
【考案の開示】
【考案が解決しようとする課題】
【０００３】
ところが、従来の衛生キャップにおけるように、額部分、耳部分、襟足部分に沿った開口縁に付設されている帯状の弾性部材だけでは、その弾性保持力が弱いため、作業中において例えば額部分の開口縁が下方にズリ落ちてきて顔面部分を覆ってしまう場合がある。すなわち作業中の諸動作に伴ない顔面・表情に変化があると、額部分等が動き、これによって衛生キャップの額部分がズリ落ちることがあり、また、左右方向にズレ動くこともある。しかも、眼鏡使用者にとってはこめかみ部分で眼鏡の蔓部分が衛生キャップとの隙間に差し入れられるから、この差し入れ部分で生じる隙間から毛髪等が落下するおそれもある。
【０００４】
また、使用者の頭部サイズに応じて衛生キャップを、例えばＳ、Ｍ、Ｌ等の大小サイズのいずれかを選択して使用するのが通常であるも、頭部サイズよりも大きなサイズの衛生キャップを選んだ場合、あるいは衛生キャップの全てのサイズが頭部サイズよりも大きくて合わなかった場合等であると、このような衛生キャップの被冠使用中のズレ落ちは頻繁に発生するのである。しかも、このような被冠者の頭部サイズに対応して、例えばＳサイズ、Ｍサイズ、Ｌサイズ等を各別に用意すると、サイズ別管理も非常に面倒なものとなるのである。
【０００５】
そこで本考案は叙上のような従来存した諸事情に鑑み案出されたもので、被冠時での下方側、特に顔面側へのズレ落ち、周囲に沿う左右のズレ動き等を未然に防止できることを目的とするもので、副次的には使用者の頭部サイズに依らずにフリーサイズで使用することもでき、ひいては被冠者に対応したサイズ別の管理も容易なものとできる衛生キャップを提供することにある。
【課題を解決するための手段】
【０００６】
上述した課題を解決するため、本考案にあっては、毛髪部分を覆って頭部に被冠され、額部分、耳部分、襟足部分に沿った開口縁を有するキャップ本体１と、このキャップ本体１の開口縁に付設された帯状の弾性部材３とを備えた衛生キャップにおいて、額部分における開口縁よりも上側に位置する前頭部、耳部分より上側に位置するこめかみ部分、襟足部分よりも上側に位置する後頭部分に掛けての毛髪部分を線状に締め付け可能とする例えばゴム紐等による移動防止手段２を設けたものである。
移動防止手段２は、ゴム紐材によって線状に形成することができる。
前頭部における移動防止手段２は、弾性部材３の一側縁をキャップ本体１の開口縁に重ね合わせて縫合し、その縫合縁部４をキャップ本体１の裏面側に表してある当該弾性部材３の縫合縁部４に沿って設けられているものとできる。
キャップ本体１は、多数の通気孔５が開穿された不織布、メッシュ生地、電石化されている成形生地のいずれかによって形成されているものとできる。
【０００７】
以上のように構成された本考案に係る衛生キャップにあって、キャップ本体１は、使用者の頭髪全体を被冠した際に、キャップ本体１の開口縁に付設した帯状の弾性部材３は、使用者の頭部周囲を圧迫させずに柔軟な状態でソフトに装着させる。このとき、頭部への装着部位は帯状の弾性部材３によって所定幅員で保持され、装着面とでは間隙を形成せず、キャップ本体１内で生じた脱頭髪、フケ、細菌、塵埃その他の発塵物を周囲に落下させない。このとき同時に、移動防止手段２によって、前頭部、こめかみ部分、後頭部分に掛けての毛髪部分を周囲から締め付けるものとなり、例えば頭部サイズよりも大きなサイズのキャップ本体１が被冠されたとしても、当該キャップ本体１の下方側へのズレ落ち等を阻止させる。
また、キャップ本体１の裏面側に表してある弾性部材３の前頭部における縫合縁部４に沿って設けられている移動防止手段２は、その縫合縁部４の存在によってキャップ本体１の表裏を判別させ、繰り返されるキャップ本体１の被冠、脱冠によっても表裏を誤らせないものとなると同時に、前頭部における縫合縁部４の毛髪部分に対する保持密着性を確実なものにさせ、被冠されたキャップ本体１の顔面側へのズレ落ち、周縁に沿うズレ動き等を阻止させる。
さらに、多数の通気孔５が開穿された不織布、メッシュ生地によるキャップ本体１は、移動防止手段２によるキャップ本体１の下方側へのズレ落ちを阻止させた状態で、通気孔５あるいはメッシュ生地の空隙による通気性を確保しながら、人体から生じた脱頭髪、フケ、細菌、塵埃その他の発塵物を保持させる。そして、電石化された不織布、メッシュ生地製のキャップ本体１は、移動防止手段２によるキャップ本体１の下方側へのズレ落ち、周縁方向に沿うズレ動き等を阻止させた状態で、外部電界の有無に拘らず静電作用を発揮し、静電作用による強い吸着性によって発塵物を吸着、捕捉して周囲に脱落させない。
【考案の効果】
【０００８】
本考案によれば、被冠時での下方側、特に顔面側へのズレ落ち、周縁方向に沿うズレ動き等を未然に防止でき、しかも副次的には頭部サイズに依らずにフリーサイズで使用することもでき、被冠者に対応したサイズ別の管理も容易となる。
【０００９】
すなわちこれは本考案が、額部分、耳部分、襟足部分に沿った開口縁を有するキャップ本体１の開口縁に付設された帯状の弾性部材３を備え、額部分における開口縁よりも上側に位置する前頭部、耳部分より上側に位置するこめかみ部分、襟足部分よりも上側に位置する後頭部分に掛けての毛髪部分を線状に締め付け可能とする移動防止手段２を設けたからであり、これによって、被冠時での下方側へのズレ落ち、周縁方向に沿うズレ動き等を確実に防止することができる。
【００１０】
また、このような移動防止手段２を機能させた状態で、帯状の弾性部材３は、頭部への卷回装着時では装着幅が広く大きな面積となって頭部に確実に位置付けされるため、枝毛等の脱落を防止できると共に、この弾性部材３によって、作業中に生じる作業者の汗、特に額部分に発生する汗を吸収でき、作業を壮快にさせることができる。しかも毛髪部分を線状に締め付け可能とする移動防止手段２が存在するため、キャップ本体１がずり上がって頭髪等が露出することもなく、頭部からの発塵物による作業環境の汚染を確実に防止できる。
【００１１】
移動防止手段２は、ゴム紐材によって線状に形成してあるので、頭部周囲をしっかりと締付けて頭髪等を固定することができる。しかも、耳部分での頭部周囲を締付ていることで耳部分が出張ることになり、眼鏡使用者はその眼鏡Ｇをキャップ本体１の上から耳に掛けることができ、従来のように蔓部分の隙間から頭髪等を落下させない（図２参照）。
【００１２】
前頭部における移動防止手段２は、弾性部材の一側縁をキャップ本体１の開口縁に重ね合わせて縫合し、その縫合縁部４をキャップ本体１の裏面側に表してある当該弾性部材３の縫合縁部４に沿って設けられているので、被冠されたキャップ本体１の顔面側へのズレ落ちを未然に防止することができる。また、作業途中での昼食、休憩等を経た再度の被冠時でも縫合縁部４の存否の確認によって表裏の判別が容易となり、そのため、各種の発塵物が付着した裏面を表面に露出した裏返したままで被冠することもなくなり、その落下等による不都合が解消されるものである。
【００１３】
キャップ本体１は、多数の通気孔５が開穿された不織布、メッシュ生地、電石化されている成形生地のいずれかによって形成されているので、非常に軽量、安価に製作でき、不織布製のキャップ本体１に開穿した多数の通気孔５あるいはメッシュ生地の空隙は被冠時における内外の通気を図ることで頭部に生じる蒸れを防止し、更に、電石化された形成生地のものとすることで、その静電作用による塵埃の吸着、捕捉によって発塵物の外部への放散を確実に阻止できるものである。
【００１４】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１５】
以下図面を参照して本考案を実施するための最良の一形態を説明すると、図において示される符号１は、主として食品、薬品、医療、電子部品等の各分野において、作業者から発する脱毛髪、フケ、塵埃、細菌等の発塵物を抑止するため、作業者の頭部における毛髪部分を覆って頭部に被冠され、額部分、耳部分、襟足部分に沿った開口縁を有するキャップ本体である。このキャップ本体１は、顔面を除く頭部全体を被包可能で、図１、図２に示すように、頭頂部を除いて略全体を例えばニードルパンチング加工を施した不織布、必要があれば電石化された不織布、あるいはメッシュ生地、必要があれば電石化されたメッシュ生地等によって形成され、また頭頂部に該当する部位を通気性に富むよう不織布、必要がれば電石化された不織布によって形成され、さらに、耳部に該当する部位を、適宜目巾のナイロンメッシュ地等の編粗地または編粗材を網状に編んで成るメッシュ生地６としてある。
【００１６】
また、キャップ本体１の開口縁には、帯状の弾性部材３が付設されており、この弾性部材３の弾性作用でキャップ本体１の開口縁を閉縮させるようになっている。弾性部材３自体は使用者の頭部を平板な鉢巻き状で卷回するもので、例えば弾性に富む伸縮性包袋材料によって形成されている。この弾性部材３のキャップ本体１に対する付設は、例えば帯状の伸縮素材をループ状に卷回して端部相互を縫合した後、これの一側縁をキャップ本体１の開口縁に重ね合わせて縫合し、その縫合縁部４がキャップ本体１の裏面側に折り返し、突き出し状に表われているようにするのである。
【００１７】
図２に示すように、キャップ本体１の内側には、例えば細長なゴム紐材等による移動防止手段２を例えば縫合等によって付設してあり、額部分における開口縁よりも上側に位置する前頭部、耳部分より上側に位置するこめかみ部分、襟足部分よりも上側に位置する後頭部分に掛けての毛髪部分を線状に絞り圧迫させるように締め付け可能としてある。このとき、前頭部における移動防止手段２は、キャップ本体１の裏面側に表してある弾性部材３の縫合縁部４に沿って例えば縫合等によって付設してあり、これによって前頭部における縫合縁部４の毛髪部分に対する保持密着性を強固なものにして、被冠されたキャップ本体１の顔面側へのズレ落ち、周縁部分における周縁方向へのズレ動き等を阻止できるようにしてある。また、使用者の耳部分の上方位置で移動防止手段２によって頭部を締め付けるようになることで、耳部分を出張らせるようにもなるのである。
【００１８】
尚、本実施の形態に使用される電石不織布としては、例えば特殊極細繊維不織布に高配向分極を施したもので、約１５〜６０ｇ／平方ｍ程度の厚さに構成することができ、塵埃捕集効率、通気度、強度ともに優れたものを採用すれば良い。また、不織布を構成する繊維素材は、例えばポリエチレンテレフタレート、ポリブチレンテレフタレート等のポリエステル、ナイロン６、ナイロン６６等のポリアミド、ポリプロピレン、ポリエチレン等のポリオレフィン、ポリウレタン、ビニル芳香族化合物と共役ジエン化合物とのブロック共重合体の水素添加ブロック共重合体等の熱可塑性エラストマー等であったり、さらにこれらの重合体の共重合体及びブレンド物であったりしても良い。また、複数枚の不織布をピンラミネート加工、ニードルパンチング加工等によって補強した積層構造とすることも可能である。
【００１９】
次に、これの使用の一例を説明すると、図に示すように、毛髪、フケその他の発塵物の混入を避けなければならない作業、例えば食品関係、医療薬品関係、電子部品等の製造関係等の各種作業に従事する作業者がその頭部に被冠することで使用するもので、頭髪をキャップ本体１で覆うように帯状の弾性部材３によって頭部周囲を卷回すると同時に、移動防止手段２によって、前頭部、こめかみ部分、後頭部分に掛けての毛髪部分を線状に締め付けるものとして装着する。このとき、キャップ本体１と弾性部材３との付設部分である縫合縁部４が内側になるようにして被冠する。こうすることで、帯状の弾性部材３によって卷回した位置よりも上側にある移動防止手段２によって毛髪部分が保持されるものとなり、例えば頭部よりも大きなサイズのキャップ本体１が被冠されたとしても、当該キャップ本体１の下方側へのズレ落ち、ズレ動き等を未然に阻止できるものとなる。
【００２０】
また、眼鏡を使用する場合には、ズレ動き防止手段２によって頭髪が締め付けられていることで耳部分が出張るようになるから、キャップ本体１の上から耳部分に眼鏡を掛ければよいのである。しかも、ズレ動き防止手段２の締め付け力に余裕を持たせることで、作業者の頭部の大きさの相違にある程度の範囲で対応調整可能であり、使用者によるサイズ別管理を容易にすることにも役立つ。
【００２１】
図３には、本考案の他の実施の形態が示されており、この場合、キャップ本体１自体は、通気性に富むよう不織布、必要がれば電石化された不織布によって形成され、使用者の頭髪全体を余裕を持って膨らみ状にして覆う程度の大きさのものとしてある。例えば直径が４０〜８０ｃｍ程度の円板状の生地素材の周縁を開口縁とするように窄めることによってドーム状に形成される。
【００２２】
そして、キャップ本体１の開口縁には、帯状の弾性部材３が付設されており、この弾性部材３の弾性作用でキャップ本体１の開口縁を閉縮させると共に、キャップ本体１の開口縁よりも上側位置には、例えば細長なゴム紐材等による移動防止手段２を例えば縫合等によって付設してある。こうして、キャップ本体１の被冠に際し、移動防止手段２によって、額部分における開口縁よりも上側に位置する前頭部、耳部分より上側に位置するこめかみ部分、襟足部分よりも上側に位置する後頭部分に掛けての毛髪部分を線状に絞り圧迫させるように締め付け可能としてある。
【００２３】
そして、不織布製のキャップ本体１には、使用被冠時における内外の通気性を図るための多数の通気孔５が開穿されており、例えば２ｃｍの間隔で直径を２ｍｍ程度のものとして全面に開穿されている。もとより、この通気孔５の大きさ、配列間隔、開穿部位その他は適宜に選定でき、説明例、図示例に限定されるものではないことは勿論である。
【図面の簡単な説明】
【００２４】
【図１】本考案を実施するための最良の一形態における使用状態を示す一部切欠正面図である。
【図２】同じく使用状態を示す一部切欠側面図である。
【図３】本考案の他の実施の形態における使用状態を示す一部切欠正面図である。
【符号の説明】
【００２５】
Ｇ…眼鏡
１…キャップ本体                        ２…移動防止手段
３…弾性部材                            ４…縫合縁部
５…通気孔                              ６…メッシュ生地
【図１】
0003106318.tif 000003
【図２】
0003106318.tif 000004
【図３】
0003106318.tif 000005